(57)【要約】      （修正有）【課題】外装デザイン及び包装デザインに特徴のあるレンズ付きフイルムユニットを提供する。【解決手段】レンズ付きフイルムユニット２は、撮影機構が組み込まれフイルムパトローネが装填されたユニット本体３と、このユニット本体３を収納するチューブ容器状の外装カバー４と、外装カバー４の開口１０を塞ぐように外面に貼付されるカバーシート１３とからなる。外装カバー４とカバーシート１３は、遮光性及び防湿性を有する材質で形成されており、出荷時の包装体として使用される。レンズ付きフイルムユニット２の使用時にカバーシート１３を剥がし取ると、開口１０からユニット本体３の各種撮影機能部品が露呈されるので、外装カバー４を装着したまま撮影を行なうことができる。【選択図】        図４
2005031261.tif 000002
【特許請求の範囲】
【請求項１】
撮影機構と写真フイルムとが組み込まれ、かつ外周面に撮影機能部品が露呈されたユニット本体を有するレンズ付きフイルムユニットにおいて、
前記ユニット本体をチューブ容器状の外装体に収納し、この外装体に撮影機能部品を露呈する開口を形成したことを特徴とするレンズ付きフイルムユニット。
【請求項２】
前記外装体の外面に、開口を塞ぐカバーシートを剥離自在に貼付したことを特徴とする請求項１記載のレンズ付きフイルムユニット。
【請求項３】
前記外装体及びカバーシートは、遮光性と防湿性とを有する材質で形成されており、該カバーシートによって開口が塞がれた外装体は、レンズ付きフイルムユニットを包装する包装体として機能することを特徴とする請求項２記載のレンズ付きフイルムユニット。
【請求項４】
前記外装体は、両端が開放された略筒状に形成され、一端には蓋部材が取り付けられて塞がれ、他端はユニット本体が挿入された後に封止されることを特徴とする請求項１乃至３いずれか記載のレンズ付きフイルムユニット。
【請求項５】
前記外装体は、ラミネート成形によって形成されることを特徴とする請求項４記載のレンズ付きフイルムユニット。
【請求項６】
前記外装体は、押し出し成形によって形成されることを特徴とする請求項４記載のレンズ付きフイルムユニット。
【請求項７】
前記外装体は、一端が閉じられ、他端が開放された略筒状に形成され、他端はユニット本体が挿入された後に封止されることを特徴とする請求項１乃至３いずれか記載のレンズ付きフイルムユニット。
【請求項８】
前記外装体は、ブロー成形によって形成されることを特徴とする請求項７記載のレンズ付きフイルムユニット。
【請求項９】
前記外装体の封止部分に、孔を形成したことを特徴とする請求項４乃至８いずれか記載のレンズ付きフイルムユニット。
【請求項１０】
前記外装体は、写真フイルムの取り出し時に破壊され、遮光性を喪失することを特徴とする請求項１乃至９いずれか記載のレンズ付きフイルムユニット。
【発明の詳細な説明】
【０００１】
【発明の属する技術分野】
本発明は、レンズ付きフイルムユニットに関し、更に詳しくは、外周面を覆う外装カバーを備えたレンズ付きフイルムユニットに関するものである。
【０００２】
【従来の技術】
簡単な撮影機構が組み込まれ、製造時にフイルムパトローネが装填されたレンズ付きフイルムユニットが本出願人により製造販売されている。このレンズ付きフイルムユニットは、撮影レンズやシャッタ機構，フイルム巻き上げ機構等の撮影機構が組み込まれ、フイルムパトローネが装填されるプラスチック製の本体基部と、この本体基部の前面及び背面を覆うように取り付けられるプラスチック製の前カバー及び後カバーとからなるユニット本体を有している。
【０００３】
前カバーは、本体基部の前面側を覆うとともに、撮影レンズやストロボ発光部等の撮影機能部品を露呈させる開口が適所に形成されている。後カバーは、本体基部の背面側を覆って遮光するとともに、内壁面に形成された圧板部を用いて、本体基部に装填された写真フイルムの背面を支持する。これら前カバー及び後カバーは、一体に設けられた係合爪を用いて本体基部に着脱自在に取り付けられている。前カバー及び後カバーは、本体基部内を遮光するとともに、レンズ付きフイルムユニットのハンドリング性やデザイン性を向上させる外装部品としての機能も有している。
【０００４】
レンズ付きフイルムユニットは、装填された写真フイルムを光や湿気，塵芥等から保護するために、アルミシートとプラスチックシートとを積層して防湿機能を持たせた包装体であるガゼット袋に収納されて出荷される（例えば、特許文献１参照）。
【０００５】
また、熱収縮性の防湿シートを使用し、この防湿シートをレンズ付きフイルムユニットの外周面に密着させて包装するようにした包装体も発明されている（例えば、特許文献２参照）。防湿シートには、開封時に破断されるハーフカットが設けられており、破断された部分からはレンズ付きフイルムユニットの撮影機能部品が露呈される。そのため、レンズ付きフイルムユニットは、防湿シートが外側に部分的に残った状態で使用されることになる。
【０００６】
更に、２層のシートでレンズ付きフイルムユニットを包装し、使用時には外側のシートをハーフカットに沿って剥がすことで、レンズ付きフイルムユニットの撮影機能部品が露呈されるようにした包装体も発明されている（例えば、特許文献３参照）。
【０００７】
レンズ付きフイルムユニットは複数のメーカーから様々な種類が販売されているが、どのレンズ付きフイルムユニットも撮影機能や小型化、軽量化等に重点をおいているため、外観デザインに特徴のあるレンズ付きフイルムユニットは少なかった。特に、レンズ付きフイルムユニットのデザイン性に大きな影響を有する前カバー及び後カバーには、遮光性やリサイクル適性等を考慮して黒色のプラスチックが用いられており、レンズ付きフイルムユニットの外観デザインを没個性化させていた。
【０００８】
レンズ付きフイルムユニットのデザイン性を向上させるために、透明なプラスチックで前カバーを形成したレンズ付きフイルムユニット（例えば、特許文献４参照）や、前カバーに塗装を施したり、金属粉を混入させたプラスチックで形成したレンズ付きフイルムユニット（例えば、特許文献５参照）などが発明されている。
【０００９】
【００１０】
【特許文献１】
特開平０５−１９７０８７号公報
【特許文献２】
特開２００２−１８２３４０号公報
【特許文献３】
特開２００２−３７２７７１号公報
【特許文献４】
特開平０７−０４３７９０号公報
【特許文献５】
特開２０００−０１０１７０号公報
【００１１】
【発明が解決しようとする課題】
しかしながら、特許文献１記載のガゼット袋は、包装コストは低いが形状が単純な矩形形状であり、印刷等を施す面積も小さいため、商品アピールに乏しいという問題があった。更に、開封された後のガゼット袋は何ら使い道がなく、ゴミとして廃棄されるのみであった。
【００１２】
また、特許文献２及び３記載の包装体は、レンズ付きフイルムユニットの輪郭形状そのままの包装携帯となるため、商品アピールに乏しいという問題があった。更に、比較的厚みの薄いシートをレンズ付きフイルムユニットに密着させているため、レンズ付きフイルムユニットへの衝撃等に対する保護機能は期待できない。特に特許文献３記載の包装体は、包装シートの構成部品が多いため、包装コストが高くなる。
【００１３】
特許文献４及び５記載のレンズ付きフイルムユニットは、前カバー及び後カバーの形状に大きな変化がないため、従来のレンズ付きフイルムユニットのデザインと代わり映えしなかった。
【００１４】
本発明は、上記問題点を解決するためのもので、外装デザイン及び包装デザインに特徴のあるレンズ付きフイルムユニットを提供することを目的とする。
【００１５】
【課題を解決するための手段】
上記問題点を解決するために、本発明は、チューブ容器状の外装体にユニット本体を収納し、この外装体に撮影機能部品を露呈する開口を形成したものである。これによれば、チューブ容器状の外観を有するレンズ付きフイルムユニットを提供することができ、商品アピール性を向上させることができる。
【００１６】
また、外装体の開口をカバーシートによって塞ぎ、かつ外装体及びカバーシートは、遮光性と防湿性とを有する材質で形成したので、カバーシートによって開口が塞がれた外装体をレンズ付きフイルムユニットを包装する包装体としても機能させることができる。これによれば、販売時の包装形態もチューブ容器状にすることができるため、商品アピール性を向上させることができる。更に、従来のガゼット袋を用いた包装と比べ、開封後に生じるゴミの量を少なくすることができる。
【００１７】
更に、外装体の形成には、ラミネート成形や押し出し成形，ブロー成形等を用いることができる。これらの成形方法によれば、高精度なチューブ容器状の外装体を容易に製造することができる。また、外装体の封止部分に、孔を形成することができる。この孔は、フック等にレンズ付きフイルムユニットを掛けて陳列する際に、フック掛け用の孔として使用することができる。
【００１８】
また、レンズ付きフイルムユニットから撮影済みの写真フイルムを取り出す際に、外装体を破壊して取り出すようにしたものである。これによれば、外装体の遮光性を喪失させることができるので、使用済みのレンズ付きフイルムユニットへの写真フイルムの詰め替えを防止することができる。
【００１９】
【発明の実施の形態】
図１（Ａ），（Ｂ）は、本発明を実施したレンズ付きフイルムユニット２の外観を示す斜視図であり、図２及び図３は、レンズ付きフイルムユニット２の垂直方向及び水平方向の要部断面図である。レンズ付きフイルムユニット２は、ユニット本体３と、このユニット本体３を収納する外装カバー４とから構成されている。
【００２０】
外装カバー４は、一端が長方形の蓋部材７で閉じられ、他端が尾ひれ状に封止されたチューブ容器からなる。外装カバー４の前面，上面，背面の幅方向における中央部分には、ユニット本体３の表面に設けられた撮影機能部品（例えば、撮影レンズ８やシャッタボタン９等）を露呈させる開口１０が形成されている。また、ユニット本体３の表面に設けられている撮影機能部品は、開口１０の開口面積が大きくなりすぎないように、中央に寄せて配置されている。
【００２１】
図４（Ａ），（Ｂ）は、未使用時のレンズ付きフイルムユニット２の外観を示す斜視図である。製品出荷時のレンズ付きフイルムユニット２は、外装カバー４の開口１０がカバーシート１３によって塞がれている。カバーシート１３は、外装カバー４の外側から開口１０の全周に貼着される。
【００２２】
外装カバー４とカバーシート１３は、遮光性と防湿性とを有する材質で形成されており、カバーシート１３によって開口１０が塞がれた外装カバー４は、遮光能力と防湿能力とを発揮する。そのため外装カバー４は、従来のガゼット袋と同様に、レンズ付きフイルムユニット２の出荷時の包装体として使用することができる。
【００２３】
図５（Ａ），（ｂ）は、ユニット本体３の外観形状を示す斜視図である。ユニット本体３は、大別すると、該ユニット本体３の前面側をカバーする前カバー１５と、背面側をカバーする後カバー１６と、前カバー１５と後カバー１６との間に組み込まれる本体基部とからなる。本体基部には撮影機構が組み込まれており、製造時にフイルムパトローネ１７が装填されている。前カバー１５と後カバー１６の開口１０から露呈される部分は、外装カバー４の厚み分だけ外側に突出されている。そのため、開口１０から露呈された前カバー１５及び後カバー１６と外装カバー４との外装面は、同一平面となる。
【００２４】
ユニット本体３の前面中央には、撮影レンズ８が組み込まれている。この撮影レンズ８の周囲には、前方に向けて膨出された中央膨出部２０が設けられている。中央膨出部２０は、全体として薄型化されたユニット本体３において、撮影レンズ８の周辺に組み込まれたシャッタ機構等の撮影機構の組み込みスペースを確保し、かつ保護する機能を有している。この中央膨出部２０は、カバーシート１３によって外装カバー４の開口１０を塞ぎやすくするために、その突出量は従来のレンズ付きフイルムユニットよりも小さくされている。
【００２５】
撮影レンズ８の上方には、撮影範囲の確認に使用される対物側ファインダ窓２３が設けられている。この対物側ファインダ窓２３の右方には、被写体に向けてストロボ光を照射するストロボ発光部２４が配置されている。ストロボ発光部２４の下方には、本体基部に組み込まれたストロボ装置に充電を行なう長円形の充電操作部材２５が設けられている。この充電操作部材２５は、前カバー１５に形成された長円形状の孔２６の中に、上下方向でスライド自在となるように組み込まれている。充電操作部材２５の内側には、本体基部に設けられた充電スイッチが配置されている。充電操作部材２５が上方にスライドされると充電スイッチがオンし、ストロボ装置で充電が開始される。
【００２６】
ユニット本体３の上面には、シャッタボタン９が配置されている。このシャッタボタン９が押下されると、本体基部に組み込まれたシャッタ機構においてシャッタレリーズ動作が行なわれる。シャッタボタン９の側方には、撮影枚数表示板とパイロットランプとを視認できるようにする、撮影枚数表示窓２９とランプ窓３０とが形成されている。撮影枚数表示板は、撮影回数をカウントして表示する表示板であり、残り撮影枚数の確認に用いられる。パイロットランプは、充電が完了した時に点滅し、撮影者にストロボ充電が完了したことを知らせる。
【００２７】
後カバー１６の対物側ファインダ窓２３に対面する位置には、長円形の突出部３２が形成されている。この突出部３２内には、接眼側ファインダ窓３３とランプ窓３４とが設けられている。ランプ窓３４からは前述のパイロットランプの光を視認することができ、接眼側ファインダ窓３３を覗きながらパイロットランプの点滅が視認できるようになっている。
【００２８】
ユニット本体３の背面右側には、フイルムパトローネ１７が装填されるパトローネ室３７が設けられている。このパトローネ室３７は、本体基部に設けられているが、後カバー１６に形成された開口３８によって外部に露呈されている。パトローネ室３７は、ユニット本体３が外装カバー４に収納されたときに、外装カバー４によって開口３８が塞がれて遮光される。
【００２９】
パトローネ室３７の上方には、撮影済みの写真フイルムをパトローネ内に巻き上げる巻上げノブ４１が設けられている。巻上げノブ４１は、外装カバー４の開口１０から外部に露呈させるために、幅方向において中央側に寄せて配置されている。また、カバーシート１３によって外装カバー４の開口１０を塞ぎやすくするために、巻上げノブ４１の突出量は従来のレンズ付きフイルムユニットよりも小さくされている。
【００３０】
巻上げノブ４１を幅方向の中央側に配置したことにより、巻上げノブ４１の軸芯と、パトローネ室３７内のフイルムパトローネ１７の軸芯とがずれている。そのため、図６に示すように、巻上げノブ４１とフイルムパトローネ１７との間には、２個のギヤ４４，４５が組み込まれている。一方のギヤ４４には、フイルムパトローネ１７の巻芯１７ａに係合する巻軸４６が一体に設けられている。他方のギヤ４５は、巻上げノブ４１の下端に設けられたギヤ４７とギヤ４４とに噛合する。これにより、巻上げノブ４１とフイルムパトローネ１７との軸芯位置が離れていても、巻上げノブ４１の回転操作によってフイルムパトローネ１７内に写真フイルムを巻き上げることができる。
【００３１】
ユニット本体３のパトローネ室３７が設けられている側の側面には、外形形状が一回り小さくされた段差部５０が形成されている。図３に示すように、段差部５０は、蓋部材７の内側に設けられた嵌合部５１に嵌合される。
【００３２】
図７に示すように、ユニット本体３が収納される前の外装カバー４は、断面が長方形の筒形状をしており、その一端はプラスチックで形成された蓋部材７によって塞がれ、他端はユニット本体３が長手方向から挿入できるように開放された挿入口５２となる。外装カバー４は、周知のチューブ容器と同様の方法、例えばラミネート成形によって形成される。ラミネート成形とは、ポリエチレン等のプラスチックとアルミ箔，紙等を貼り合わせ加工したラミネートシートを用いてチューブ容器を形成する成形方法である。
【００３３】
図８は、外装カバー４に用いられるラミネートシート５４の層構造を示す説明図である。外装カバー４には、例えば上から透明ポリエチレン５５，紙５６，ポリエチレン５７，アルミ箔５８，ポリエチレン５９のシートが貼り合わされたラミネートシート５４が用いられる。このラミネートシート５４を用いることにより、従来のガゼット袋と同等の遮光性及び防湿性を有する外装カバー４を形成することができる。
【００３４】
外装カバー４の表面に設けられる製品名や使用方法等の印刷は、貼り合わされる前の紙シート５６の上に、凸版印刷やグラビア印刷等を用いて印刷層６２として形成される。印刷された紙シート５６の上には、透明なポリエチレンシート５５が貼り合わされるので印刷層６２を保護することができ、かつ印刷された部分でヒートシールすることもできるようになる。このように、平面状態のラミネートシート５４に印刷をすることができるので、外装カバー４の角部等の全ての面に印刷を配置することができる。
【００３５】
図９（Ａ）に示すように、ラミネートシート５４は筒状に丸められ、その際に対面する端縁５４ａ，５４ｂが重ね合わされてヒートシールにより接合され、ラミネートシート５４の筒６５が形成される。端縁５４ａ，５４ｂが接合された接合部６０は、外装カバー４の外観品質を悪化させる。そのため、図３に示すように、接合部６０はレンズ付きフイルムユニット２の底面に配置するとよい。
【００３６】
図９（Ｂ）に示すように、筒６５の一端がプラスチック製の蓋部材７によって塞がれると、筒６５の断面が長方形となる。図４に示すように、蓋部材７の内側には、外装カバー４に収納されたユニット本体３の側面の段差部５０に嵌合して位置決めする嵌合部５１と、筒６５の端縁が挿入される溝部６８とが一体に形成されている。蓋部材７は、筒６５の端部に嵌合された後にヒートシールによってラミネートシート５４に接合される。
【００３７】
蓋部材７によって一端が塞がれた筒６５は、図９（Ｃ）に示すように、例えば、ユニット本体３に近似した断面形状を有する治具７１に被せられる。そして、この治具７１に被せられた状態で、曲面カッターやレーザーカッター等を用いて筒６５の外周面がカットされ、開口１０が形成される。開口１０が形成された筒６５は、外装カバー４となる。
【００３８】
次に、外装カバー４内にユニット本体３が挿入され、開口１０からユニット本体３の各種撮影機能部品が露呈される。また、外装カバー４によって後カバー１６の開口３８が塞がれ、パトローネ室３７内が遮光される。挿入口５２からユニット本体３が挿入された外装カバー４は、端部が尾ヒレ状にヒートシールされる。なお、このヒートシールでは、端縁の一定の幅４ａと、中央部分の広い面積４ｂとが熱溶着される。そして、中央の広い面積の熱溶着部分４ｂに対して打ち抜き加工が行なわれ、外装カバー４に孔４ｃが形成される。この孔４ｃは、販売時にレンズ付きフイルムユニット２をフック等に掛けて陳列する際に使用される。
【００３９】
完成したレンズ付きフイルムユニット２には、従来のレンズ付きフイルムユニットと同様に、シャッタ機構やフイルム巻上げ機構、フイルム巻止め機構等の各種撮影機構の機能検査が施される。
【００４０】
機能検査をパスしたレンズ付きフイルムユニット２は、外装カバー４の開口１０を塞ぐように、開口１０の全周にカバーシート１３が貼着される。カバーシート１３は、従来のレンズ付きフイルムユニットの包装に用いられていたガゼット袋と同じ材質、例えば、ポリエチレンやアルミ箔が積層された防湿性シートによって形成されている。そのため、カバーシート１３の外装カバー４への貼着には、両者のポリエチレン層同士を溶着するヒートシールを使用することができる。カバーシート１３には、外装カバー４からカバーシート１３を剥がすときに用いられる、つまみ１３ａが設けられている。
【００４１】
従来のレンズ付きフイルムユニットは、防湿性と遮光性とを備えたガゼット袋に収納されて出荷されていた。しかしながら、ガゼット袋は、単純な矩形形状であり、印刷面積も小さいため、商品アピールが弱かった。また、開封した後のガゼット袋はゴミとして廃却されるため、無駄が多かった。そのため、本発明のレンズ付きフイルムユニット２では、外装カバー４を防湿性と遮光性とを有する材質で形成し、かつ外装カバー４の開口１０を防湿性と遮光性とを有するカバーシート１３で塞ぐことで、外装カバー４にガゼット袋と同等の包装機能を付与した。
【００４２】
これにより、レンズ付きフイルムユニット２を包装せずに、そのまま出荷することができる。また、外装カバー４の形態や印刷面積の増加等によって、ガゼット袋で包装されたレンズ付きフイルムユニットよりも商品アピール性を向上させることができる。
【００４３】
上記レンズ付きフイルムユニット２を購入したユーザーは、カバーシート１３のつまみ１３ａを用いて、外装カバー４からカバーシート１３を剥がし取る。これにより、外装カバー４の開口１０からユニット本体３の撮影機能部品が露呈される。ユーザーは、従来のレンズ付きフイルムユニットと同様に、ファインダで撮影範囲を確認し、シャッタボタン９を押して撮影を行ない、巻上げノブ４１を操作して撮影済みの写真フイルムを巻き上げる。また、撮影状況に応じて充電操作部材２５を操作し、ストロボ撮影を行なう。
【００４４】
収納された写真フイルムの全コマへの撮影が終了すると、現像及びプリントの依頼とともに、レンズ付きフイルムユニット２は現像取扱い店に提出される。現像取扱い店では、強制的に蓋部材７を取り外したり、外装カバー４のパトローネ室３７に対面する部分を裂開する等して、外装カバー４からユニット本体３を取り出す。そして、ユニット本体３からフイルムパトローネ１７を取り出し、現像及びプリント処理が行なわれる。
【００４５】
フイルムパトローネ１７が取り出されたレンズ付きフイルムユニット２は、蓋部材７を取り外す際に、外装カバー４の端部が破れてしまう。また、外装カバー４を裂開した場合には、簡単に修復することができない。これにより、使用済みのレンズ付きフイルムユニット２は遮光性を喪失するので、未使用のフイルムパトローネが装填されて再使用されるのを防止することができる。
【００４６】
フイルムパトローネ１７が取り出された後のレンズ付きフイルムユニット２は、製造メーカーに回収される。そして、外装カバー４及び蓋部材７も含め、部品ごとにリユース及びリサイクルされる。従来のレンズ付きフイルムユニットでは、ガゼット袋は廃棄されていたが、本発明のレンズ付きフイルムユニット２では、ガゼット袋としても機能する外装カバー４を回収してリサイクルすることができるので、省エネルギーに寄与することができる。
【００４７】
なお、上記実施形態では、ラミネート成形によって外装カバー４を形成したが、溶融したプラスチックを筒状に押し出してチューブ容器を形成する、押し出し成形を用いてもよい。押し出し成形によって形成された外装カバーにも、一端を塞ぐ蓋部材は必要である。
【００４８】
また、外装カバー４は、ブロー成形によって形成することもできる。ブロー成形とは、溶融したプラスチックを筒状に成形し、この筒状のプラスチックが固化する前に金型で挟み込み、この金型内に圧縮エアーを吹き込んで筒状のプラスチックを金型の内壁面に密着させる成形方法である。このブロー成形によれば、一端部を閉じた形状に成形することができるため、図１０のレンズ付きフイルムユニット７５に示すように、蓋部材を省略して、端部を平滑な面にした外装カバー７６を得ることができる。
【００４９】
なお、外装カバーの開口の数や形状は、上述したものに限定されるものではなく、ユニット本体の撮影機能部品ごとに開口を形成してもよい。また、ラミネートシートの層構造も上記開示内容に限定されるものではなく、レンズ付きフイルムユニットの包装適性を考慮して適宜偏向することが可能である。更に、本発明は、１３５タイプのフイルムパトローネを使用するレンズ付きフイルムユニット、及びＡＰＳタイプのフイルムパトローネを使用するレンズ付きフイルムユニットの何れにも採用することができる。
【００５０】
【発明の効果】
以上説明したように、本発明のレンズ付きフイルムユニットによれば、ユニット本体をチューブ容器状の外装体に収納することで、レンズ付きフイルムユニットのデザインに特徴を与え、商品アピール性を高めることができる。
【００５１】
また、外装体に遮光性を防湿性とを付与したので、外装体をレンズ付きフイルムユニットを包装する包装体としても機能させることができ、販売時の包装形態もチューブ容器状にして商品アピール性を高めることができる。更に、ガゼット袋を用いないので、開封後に生じるゴミの量を少なくすることができる。
【００５２】
また、外装体の形成には、チューブ容器の形成として従来より用いられているラミネート成形や押し出し成形，ブロー成形等を用いるようにしたので、安価に高精度なチューブ容器状の外装体を容易に製造することができる。更に、外装体の封止部分に孔を形成することができるので、商品陳列も簡単に行なうことができる。
【００５３】
また、撮影済みの写真フイルムを取り出す際に、外装体を破壊して取り出すようにしたので、外装体の遮光性を喪失させることができる。これにより、レンズ付きフイルムユニットの不正な再使用を防止することができる。
【図面の簡単な説明】
【図１】レンズ付きフイルムユニットの使用時の状態を示す外観斜視図である。
【図２】レンズ付きフイルムユニットの垂直方向の要部断面図である。
【図３】レンズ付きフイルムユニットの水平方向の要部断面図である。
【図４】レンズ付きフイルムユニットの未使用時の状態を示す外観斜視図である。
【図５】ユニット本体の外観斜視図である。
【図６】フイルム巻上げ機構の一部構成を示す分解斜視図である。
【図７】レンズ付きフイルムユニットの構成を示す分解斜視図である。
【図８】ラミネートシートの層構造を示す説明図である。
【図９】ラミネート成形による外装カバーの製造手順を示す説明図である。
【図１０】ブロー成形によって形成された外装カバーを用いたレンズ付きフイルムユニットの外観斜視図である。
【符号の説明】
２  レンズ付きフイルムユニット
３  ユニット本体
４  外装カバー
７  蓋部材
１０  開口
１３  カバーシート
１７  フイルムパトローネ
【図１】
2005031261.tif 000003
【図２】
2005031261.tif 000004
【図３】
2005031261.tif 000005
【図４】
2005031261.tif 000006
【図５】
2005031261.tif 000007
【図６】
2005031261.tif 000008
【図７】
2005031261.tif 000009
【図８】
2005031261.tif 000010
【図９】
2005031261.tif 000011
【図１０】
2005031261.tif 000012